(57)【要約】【課題】光ファイバケーブルを敷設する際に、室内を極力直線で引き、室内では極力直線部分を使用し、移設の場合における変更を少なくすることができる光アダプタ及びケーブル配線工法を提供する。【解決手段】敷設するケーブル４０，４１とそれぞれコネクタ接続する１対のコネクタ部１１，１２と、両コネクタ部１１，１２に接続し、変形して任意の角度で光路内の光を屈曲させる光路変換部２０とから構成され、コネクタ部１１，１２及び光路変換部２０は、１本又は並列した２本以上からなる連続した光ファイバ３０を内部に有する。コネクタ部１１，１２の内部及び光路変換部２０の内部には、１本又は並列した２本以上からなる連続した光ファイバを有する。【選択図】図１
2008009132.tif 000002
【特許請求の範囲】
【請求項１】
ケーブルを敷設する際に用いられる光アダプタであって、
敷設するケーブルにそれぞれコネクタ接続される１対のコネクタ部と、前記１対のコネクタ部に接続して、変形して任意の角度で光路内の光を屈曲させる光路変換部とを備えることを特徴とする光アダプタ。
【請求項２】
請求項１記載の光アダプタにおいて、
前記１対のコネクタ部の内部及び前記光路変換部の内部には、それぞれ１本又は並列した２本以上からなる連続した光ファイバを有することを特徴とする光アダプタ。
【請求項３】
請求項１記載の光アダプタにおいて、
前記光路変換部は、周りよりも高い屈折率を持つコアと、前記コアよりも低い屈折率の周囲構造部分を有する光導波路であることを特徴とする光アダプタ。
【請求項４】
請求項１〜３のいずれか１項に記載の光アダプタにおいて、
前記光路変換部は、光ファイバの光路の屈曲を制限する部材を内部に有することを特徴とする光アダプタ。
【請求項５】
請求項１記載の光アダプタにおいて、
前記光路変換部は、筒状胴体の表面を構成する蛇腹のカバーを有することを特徴とする光アダプタ。
【請求項６】
フロアにケーブルを敷設して配線するケーブル配線工法において、
ケーブルを少なくとも１つの光アダプタの１対のコネクタ部で接続し、前記光アダプタの１対のコネクタ部の間に配置された光路変換部を用いて、前記光路変換部では変形することで任意の角度で光路内の光を屈曲させ、前記フロアの縦横に前記ケーブルの敷設を行い、前記ケーブルの敷設のルート変更に対応することを特徴とするケーブル配線工法。
【発明の詳細な説明】
【技術分野】
【０００１】
本発明は、光アダプタ及びケーブル配線工法に関し、特に光ファイバケーブルをフロア内に配線する際に使用される光アダプタ及びケーブル配線工法に関する。
【背景技術】
【０００２】
ケーブルのフロア内配線においては、光ファイバケーブルが使用されている。従来のオフィス系の光ファイバの敷設では、通常のフリーアクセスフロアと同様に、情報機器（ＨＵＢなどを含む）から作業机の近傍に設けた情報コンセントまで、直接光ファイバを敷設していた。
【０００３】
光ファイバケーブルの配線技術は、銅線などを使用したケーブルの配線技術と違い、光ファイバケーブルを曲げて配置する際に、最小曲げ半径が小さいと光伝送の損失が大きくなることから、配線する際には注意が必要となる。そのため、特許文献１にあるように、光ファイバケーブルの屈曲部をある特定の大きさの半径になるような保持部材を使用することも提案されていた。
【０００４】
また、簡易フリーアクセスタイプの床では、情報ラック（ＳＷ／ＨＵＢ）などの装置と各情報コンセントとの間には、光ファイバケーブルを格子状に配線する形になるため、情報コンセントの移設の際に光ファイバケーブルをそのまま流用しようとすると、光ファイバケーブルの余長の処理が必要となる。
【０００５】
また、情報ラック（ＳＷ／ＨＵＢ）などの装置と情報コンセントとが直結されており、移設の際には、光ファイバケーブルケーブルを全て張り換えることになっていた。更に、装置から直接ケーブルを引いた場合に、撤去する際には他の敷設ケーブルやコーナーが邪魔になり、簡単に引っ張り出すのは困難であった。
【特許文献１】特開２００２−２０７１２６号公報
【発明の開示】
【発明が解決しようとする課題】
【０００６】
そこで、本発明は、従来の問題を解決するものであり、光ファイバケーブルを敷設する際に、室内を極力直線で引いて室内では極力直線部分を使用し、移設の場合における変更を少なくすることができる光アダプタ及びケーブル配線工法を提供することを目的とする。
【課題を解決するための手段】
【０００７】
本発明は、ケーブルを敷設する際に用いられる光アダプタであって、敷設するケーブルにそれぞれコネクタ接続される１対のコネクタ部と、前記１対のコネクタ部に接続して、変形して任意の角度で光路内の光を屈曲させる光路変換部とを備える光アダプタである。
【０００８】
また、本発明は、前記１対のコネクタ部の内部及び前記光路変換部の内部には、１本又は並列した２本以上からなる連続した前記光ファイバを有する光アダプタである。
【０００９】
そして、本発明は、前記光路変換部は、周りよりも高い屈折率を持つコアと、前記コアよりも低い屈折率の周囲構造部分を有する光導波路である光アダプタである。
【００１０】
更に、本発明は、前記光路変換部は、光ファイバの光路の屈曲を制限する部材を内部に有する光アダプタである。
【００１１】
また、本発明は、前記光路変換部は、筒状胴体の表面を構成する蛇腹のカバーを有する光アダプタである。
【００１２】
そして、本発明は、フロアにケーブルを敷設して配線するケーブル配線工法において、前記ケーブルを少なくとも１つの光アダプタの１対のコネクタ部で接続し、前記光アダプタの１対のコネクタ部の間に配置された光路変換部を用いて、前記光路変換部では変形することで任意の角度で光路内の光を屈曲させ、前記フロアの縦横に前記ケーブルの敷設を行い、前記ケーブルの敷設のルート変更に対応するケーブル配線工法である。
【発明の効果】
【００１３】
本発明によれば、光ファイバケーブルを敷設する際に、室内を極力直線で引いて室内では極力直線部分を使用し、移設の場合における変更を少なくすることができる。
【発明を実施するための最良の形態】
【００１４】
本発明を実施するための最良の形態を説明する。
本発明の光アダプタ及びケーブル配線工法の実施例について、図面を用いて説明する。
【実施例１】
【００１５】
実施例１を説明する。本発明の第１の実施形態である光アダプタについて、図面を用いて説明する。図１（ａ）と図１（ｂ）は、本実施例の光アダプタを示している。図１（ａ）と図１（ｂ）に示すように、光アダプタ１０は、１対のコネクタ部１１，１２と、光路変換部２０とから構成されている。１対のコネクタ部１１，１２は、敷設する光ファイバケーブル４０，４１の各端部にそれぞれ着脱可能に接続される。
【００１６】
光路変換部２０は、１対のコネクタ部１１，１２に対して接続して、図１（ａ）の直線配置状態から図１（ｂ）の屈曲配置状態に光ファイバ３０を変形して任意の角度で光ファイバ３０の光路内の光を屈曲させる機能を有している。
【００１７】
光ファイバ３０の一端部は、コネクタ部１１に接続されて光ファイバケーブル４０の端部に対して光接続されており、光ファイバ３０の他端部は、コネクタ部１２に接続されて光ファイバケーブル４１の端部に対して光接続されている。図１（ａ）と図１（ｂ）に示すように、光路変換部２０は、その内部に光ファイバ３０の光路の屈曲を制限する部材５０を有しており、光路の屈曲を制限する部材５０は、光ファイバ３０を最小曲げ半径Ｒが例えば３０ｍｍ以上になるように、光ファイバ３０の途中部分を屈曲して保持する。図１（ｂ）の例では、光ファイバ３０の一端部は他端部に対してほぼ９０度の角度で屈曲して保持できるように、光ファイバ３０の途中部分がＲ方向に沿って屈曲されている。
【００１８】
図２は、図１（ａ）と図１（ｂ）に示す光路の屈曲を制限する部材５０と、屈曲された１本の光ファイバ３０を示している。光路の屈曲を制限する部材５０は例えばほぼＣ字形を有している。
【００１９】
図３は、図１（ａ）と図１（ｂ）に示す光路の屈曲を制限する部材５０と、屈曲された複数本の光ファイバ３０を示している。光路の屈曲を制限する部材５０は例えばほぼＣ字形を有している。複数本の光ファイバ３０は並列に配置され、各光ファイバ３０の一端部は、図１のコネクタ部１１に接続されており、各光ファイバ３０の他端部は、図１のコネクタ部１２に接続されている。
【００２０】
このように、コネクタ部１１，１２の内部及び光路変換部２０の内部は、１本又は並列した２本以上からなる連続した光ファイバ３０を有する。
【００２１】
光ファイバケーブル４０，４１を敷設する際に、例えばオフィスの室内を極力直線で引いて室内では極力直線部分を使用し、例えば情報コンセントの移設の場合における光ファイバケーブルの変更を、できる限り少なくすることができる。
【実施例２】
【００２２】
実施例２を説明する。本発明の第２の実施形態の光アダプタについて、図４を参照して説明する。図４（ａ）と図４（ｂ）に示すように、光アダプタ１１０は、１対のコネクタ部１１，１２と、光路変換部２０とから構成されている。
【００２３】
１対のコネクタ部１１，１２は、敷設する光ファイバケーブル４０，４１にそれぞれ着脱可能に接続される。
【００２４】
光路変換部２０は、筒状胴体の表面を構成する蛇腹のカバー６０を有しており、１対のコネクタ部１１，１２に接続して、図４（ａ）の直線配置状態から図４（ｂ）の屈曲配置状態に光ファイバ３０を変形して任意の角度で光ファイバ３０の光路内の光を屈曲させる。すなわち、図１に示す光路の屈曲を制限する部材５０に代えて蛇腹のカバー６０が用いられており、蛇腹のカバー６０が光ファイバ３０を変形して任意の角度で光ファイバ３０の光路内の光を屈曲させた状態を保持する。
【００２５】
光ファイバ３０の一端部は、コネクタ部１１に接続されており、光ファイバ３０の他端部は、コネクタ部１２に接続されている。
【００２６】
光ファイバケーブルを敷設する際に、室内を極力直線で引いて室内では極力直線部分を使用し、移設の場合における変更を少なくすることができる。
【実施例３】
【００２７】
実施例３を説明する。本発明の第３の実施形態の光アダプタについて、図５を参照して説明する。図５に示す光アダプタ２１０の光路変換部２０は、周りよりも高い屈折率を持つコア７１と、前記コアよりも低い屈折率の周囲構造部分７２を有する光導波路である。このコア７１は、光ファイバケーブル４０，４１に対してコネクタ部１１，１２を用いて光接続されている。
【００２８】
周囲構造部分７２の光の屈折率がコア７１の光の屈折率よりも低いので、光ファイバケーブル４０から伝送されてくる光は、コア７１を通じて光ファイバケーブル４１に伝える。コア７１は例えばほぼＣ字形である。
【００２９】
光ファイバケーブルを敷設する際に、室内を極力直線で引いて室内では極力直線部分を使用し、移設の場合における変更を少なくすることができる。
【実施例４】
【００３０】
実施例４を説明する。本発明の第４の実施形態の光アダプタについて、図６を参照して説明する。図６に示す光アダプタ３１０は、図１の光アダプタ１０の光路の屈曲を制限する部材５０と、図４に示す光アダプタ１１０の蛇腹のカバー６０を使用している例である。
【００３１】
光ファイバケーブルを敷設する際に、室内を極力直線で引いて室内では極力直線部分を使用し、移設の場合における変更を少なくすることができる。
【実施例５】
【００３２】
実施例５を説明する。本実施例は、ケーブル配線工法の好ましい実施形態であり、図７を参照して、光ファイバケーブルをフロア内に敷設して配線するケーブル配線工法を説明する。このケーブル配線工法では、複数本の光ファイバケーブル４０，４１が、例えば適当な個数の光コネクタで接続されて敷設ルートの変更が容易にできる。複数本の光ファイバケーブル４０，４１は、フロア内配線において、例えば図１に示す複数個のＬ字型の光アダプタ１０を用いて、フロアの縦横の敷設に分けて配置して、ルート変更に容易に対応できる。
【００３３】
フロア内配線を行う際に、光アダプタ１０の光路変換部２０では光ファイバ３０を変形して、任意の角度で光ファイバ３０の光路内の光を屈曲させ、フロア内の縦横に光ファイバケーブル４０，４１の敷設を分けて行うことで、光ファイバケーブル４０，４１の敷設ルートの変更ができる。
【００３４】
具体的には、図７（ａ）と図７（ｂ）に例示するが、図７（ａ）と図７（ｂ）は、それぞれ複数の作業机６００を配置したオフィス７００を示す平面図である。図７（ａ）では、作業机６００の３組のグループ６０１，６０２，６０３が、オフィス７００の長手方向にそって間隔をおいて３組配置されている。図７（ｂ）では、３組のグループ６０４，６０５，６０６の配置が変更されている。
【００３５】
図７（ａ）では、３つの作業机のグループ６０１，６０２，６０３に対して、それぞれ１系統ずつ光ファイバケーブル４０，４１が敷設して配置されている。簡易フリーアクセスタイプの床では、情報ラック（ＳＷ／ＨＵＢ）などの装置１０００とグループ６０１の情報コンセント８００とは、光ファイバケーブル４０，４１と１つのＬ字型の光アダプタ１０を用いて光接続されている。
【００３６】
同様にして、図７（ａ）では、情報ラック（ＳＷ／ＨＵＢ）などの装置１０００とグループ６０２の情報コンセント８００とは、光ファイバケーブル４０，４０，４１と、１つの直線型の光アダプタ８１０と、１つのＬ字型の光アダプタ１０を用いて光接続されている。
【００３７】
図７（ａ）では、情報ラック（ＳＷ／ＨＵＢ）などの装置１０００とグループ６０３の情報コンセント８００とは、光ファイバケーブル４０，４０，４１と、１つの直線型の光アダプタ８１０と、１つのＬ字型の光アダプタ１０を用いて光接続されている。
【００３８】
一方、光ファイバケーブルが作業机の配置変更した後の図７（ｂ）では、直線型の光アダプタ８１０は使われておらず、情報ラック（ＳＷ／ＨＵＢ）などの装置１０００とグループ６０４の情報コンセント８００とは、光ファイバケーブル４０，４１と１つのＬ字型の光アダプタ１０を用いて光接続されている。
【００３９】
同様にして、図７（ｂ）では、情報ラック（ＳＷ／ＨＵＢ）などの装置１０００とグループ６０２の情報コンセント８００とは、光ファイバケーブル４０，４１と、１つのＬ字型の光アダプタ１０を用いて光接続されている。
【００４０】
図７（ｂ）では、情報ラック（ＳＷ／ＨＵＢ）などの装置１０００とグループ６０３の情報コンセント８００とは、光ファイバケーブル４０，４１と、１つのＬ字型の光アダプタ１０を用いて光接続されている。
【００４１】
オフィスのフロア内またはカーペットあるいは絨毯の内側において、光ファイバケーブルを敷設する際には、装置１０００と情報コンセント８００の間で平行方向には通常の光アダプタ８１０を使用して、垂直方向には本発明の実施形態のＬ字形の光アダプタ１０，１１０，２１０，３１０を用いて光接続することができる。
【００４２】
フロア内での敷設距離は、高々１００ｍ程度であり、光接続における光の損失は１カ所あたり０．５ｄＢ程度であるので、ＧｂＥ（ＳＸ）では１０カ所程度なら接続可能である。適度にＬ字型の光アダプタを使用することで、光ファイバケーブルの移設の際に敷設し直す光ファイバケーブルは少なくて済む。Ｌ字形の光アダプタを使用すれば、光ファイバケーブル自体の敷設は直線的な接続で行うことができるので、光ファイバケーブル４０，４１の曲げ半径を考慮する必要がない。
【００４３】
さらに、光ファイバケーブルは直線的な敷設が可能であるので、硬いケーブルでも扱いは容易になり、圧迫に対する強度を持たせることができる。直線的な光ファイバケーブルを使用することができるので、ケーブル長の算出が簡単であり、ケーブルの余長はほとんど発生しない。
【００４４】
本発明のケーブル配線工法では、フロアにケーブルを敷設して配線する際に、ケーブルを少なくとも１つの光アダプタの１対のコネクタ部で接続して、ケーブルの敷設のルート変更に対応できる。光アダプタの１対のコネクタ部の間には、光路変換部が配置され、光路変換部では変形することで任意の角度で光路内の光を屈曲させ、フロアの縦横にケーブルの敷設を行い、ケーブルの敷設のルート変更に容易に対応することができる。
【００４５】
このようにして、光ファイバケーブルをフロア内に敷設して配線するケーブル配線工法を実施することにより、光ファイバケーブルを敷設する際に、室内を極力直線で引いて室内では極力直線部分を使用し、移設の場合における変更を少なくすることができる。
【００４６】
光ファイバケーブルの屈曲部分においてＬ字型の光アダプタを使用することにより、光ファイバケーブルは直線的に敷設することができ、Ｌ字型の光アダプタの光ファイバは最小曲げ半径が許容値を超えることが無くなる。
【００４７】
また、直線部分においても適度な間隔をおいて直線型の光アダプタを使用することで、情報コンセントが移設されても必要な箇所のみ光ファイバケーブルを交換することができるので、余長の処理を考慮することが不要になる。光ファイバケーブルは直線的に使用することができるので、曲げを考慮した光ファイバケーブルに比べて、光ファイバケーブルにはより強度を持たせることができる。
【００４８】
ところで、本発明は上述した実施形態に限定されず、特許請求の範囲を逸脱しない範囲で種々の変更が可能である。例えば、図７の例では、Ｌ字型の光アダプタ１０を代表的に用いているが、これに代えて光アダプタ１１０，２１０，３１０を使用しても良い。
【００４９】
また、図４と図６に示す蛇腹状のカバー６０は筒状胴体の表面を構成するが、カバーの断面形状は円形状であっても矩形状であっても三角形状であっても良く、特に限定されない。
【００５０】
そして、光路変換部２０は、図示例では光ファイバ３０をほぼ９０度屈曲しているが、これに限らず角度は任意に設定することができる。コネクタ部１１，１２は、例えばフロア内の一部に固定したり、壁部に固定することができる。
【図面の簡単な説明】
【００５１】
【図１】本発明の光アダプタの好ましい第１の実施形態を示す図。
【図２】図１の光アダプタに使用されている光路変換部の光路の屈曲を制限する部材を示す斜視図。
【図３】光路変換部の光路の屈曲を制限する部材の別の例を示す斜視図。
【図４】本発明の光アダプタの好ましい第２の実施形態を示す図。
【図５】本発明の光アダプタの好ましい第３の実施形態を示す図。
【図６】本発明の光アダプタの好ましい第４の実施形態を示す図。
【図７】本発明のケーブル配線工法の一例を示しており、複数の作業机を配置したオフィスを示す平面図。
【符号の説明】
【００５２】
１０：光アダプタ
１１：コネクタ部
１２：コネクタ部
２０：光路変換部
３０：光ファイバ
４０、４１：光ファイバケーブル
５０：屈曲を制限する部材
１１０、２１０、３１０：光アダプタ
６００：作業机
７００：オフィス
【図１】
2008009132.tif 000003
【図２】
2008009132.tif 000004
【図３】
2008009132.tif 000005
【図４】
2008009132.tif 000006
【図５】
2008009132.tif 000007
【図６】
2008009132.tif 000008
【図７】
2008009132.tif 000009